(57)【要約】【課題】  従来品以上の流量が得られ、さらに、眼球に装着したカニューレとの接合を容易に行うことができるインフュージョンパイプを提供する。【解決手段】  本発明のインフュージョンパイプは、眼科手術において眼球に装着されたカニューレに接合して用いられるインフュージョンパイプ１０であって、カニューレの眼球に刺通する部分であるカニューレ刺通部の内側にカニューレとの接合時に挿し込まれる挿入部１１を有し、その挿入部の断面が円形の一部を切り欠いた円弧形状であることとする。【選択図】      図１
2019041863.tif 000002
【特許請求の範囲】
【請求項１】
眼科手術において眼球に装着されたカニューレに接合して用いられるインフュージョンパイプであって、
前記カニューレの眼球に刺通する部分であるカニューレ刺通部の内側に前記カニューレとの接合時に挿し込まれる挿入部を有し、前記挿入部の断面が円形の一部を切り欠いた円弧形状であることを特徴とするインフュージョンパイプ。
【請求項２】
前記挿入部の断面の円弧高さが、切り欠いていない仮想円形断面の外径の３０％以上、９０％以下であることを特徴とする請求項１に記載のインフュージョンパイプ。
【発明の詳細な説明】
【技術分野】
【０００１】
本発明は、眼科手術において眼球に装着したカニューレに接合して用いられるインフュージョンパイプに関する。
【背景技術】
【０００２】
硝子体手術は、眼球内のゼリー状の硝子体や硝子体が変性して形成された網膜上の増殖膜を切断・除去する手術である。このような眼科手術においては、インフュージョンカニューレを用いて眼球内に水を灌流しながら施術が行われる。
【０００３】
インフュージョンカニューレは、灌流する水を通過させるチューブと、そのチューブとカニューレとを繋ぐインフュージョンパイプとを有している。図５は、従来品のインフュージョンパイプの斜視図である。また、図６は、従来品のインフュージョンパイプとカニューレの接合を説明する図であって、（ａ）は接合途中、（ｂ）は接合後を示している。なお、図６では、チューブ１５の図示は省略している。
【０００４】
インフュージョンパイプ１１０は、眼球Ｅに装着したカニューレ２０に接合して用いられる（例えば、特許文献１参照）。カニューレ２０は、金属性のカニューレパイプ２１を樹脂製のカニューレベース２２に嵌め込んだものである。このカニューレパイプ２１において、カニューレベース２２に嵌め込まれた部分をカニューレ結合部２１ｂとし、眼球Ｅの内部に刺通した部分をカニューレ刺通部２１ａとする。
【０００５】
カニューレ刺通部２１ａの形状は、径が一定の管形状である。カニューレ結合部２１ｂの形状は、カニューレ刺通部２１ａよりも径が大きく、かつ内側に向かって凸部が設けられており、この凸部によって、インフュージョンパイプ１１０と接合するときに、結合部１１２の側部を押圧固定することができる。また、カニューレ結合部２１ａを眼球Ｅに刺通したとき、カニューレベース２２はストッパの役目をする。
【０００６】
インフュージョンパイプ１１０は、カニューレ刺通部２１ａの内側に挿し込まれる挿入部１１１と、カニューレ結合部２１ｂの凸部で押圧固定される結合部１１２と、チューブ１５に接続する基部１１３と、を有している。なお、挿入部１１１の断面は円形状である。また、結合部１１２は挿入部１１１よりも径が大きいので、その境界は接続部１１４で繋がっている。
【０００７】
インフュージョンパイプ１１０とカニューレ２０とを接合するときは、図６（ａ）、（ｂ）に示す通り、挿入部１１１をカニューレパイプ２１の内側に挿し込まなければならないのだが、眼球Ｅを刺通した細いカニューレ刺通部２１ａの内側までインフュージョンパイプ１１０の挿入部１１１を挿し込むのは、容易な作業ではない。また、カニューレ刺通部２１ａは眼球Ｅを刺通するものなので、あまり太くはできない。そうすると、カニューレ刺通部２１ａよりもさらに細いインフュージョンパイプ１１０の挿入部１１１の中を通過する水は、必然的に少量になってしまうという問題がある。
【先行技術文献】
【特許文献】
【０００８】
【特許文献１】特開２０１５−６６１９９号
【発明の概要】
【発明が解決しようとする課題】
【０００９】
上記のような事情に鑑み、本発明は、従来品のインフュージョンパイプ以上の流量が得られ、さらに、眼球に装着したカニューレとの接合を容易に行うことができるインフュージョンパイプを提供することを目的としている。
【課題を解決するための手段】
【００１０】
上記の目的を達成するために本発明のインフュージョンパイプは、眼科手術において眼球に装着されたカニューレに接合して用いられるインフュージョンパイプであって、カニューレの眼球に刺通する部分であるカニューレ刺通部の内側にカニューレとの接合時に挿し込まれる挿入部を有し、その挿入部の断面が円形の一部を切り欠いた円弧形状であることとする。
【００１１】
さらに、挿入部の断面の円弧高さが、切り欠いていない仮想円形断面の外径の３０％以上、９０％以下にするとよい。
【発明の効果】
【００１２】
本発明のインフュージョンパイプによれば、円形断面のインフュージョンパイプ以上の流量が得られ、さらに、カニューレとの接合を容易に行うことができるという効果を奏する。
【図面の簡単な説明】
【００１３】
【図１】本発明のインフュージョンパイプの斜視図である。
【図２】本発明のインフュージョンパイプとカニューレの接合を説明する図であって、（ａ）は接合途中、（ｂ）は接合後を示す。
【図３】従来品と本発明のインフュージョンパイプの１分間の流量を比較するグラフである。
【図４】本発明のインフュージョンパイプの挿入部の断面図である。
【図５】従来品のインフュージョンパイプの斜視図である。
【図６】従来品のインフュージョンパイプとカニューレの接合を説明する図であって、（ａ）は接合途中、（ｂ）は接合後を示す。
【発明を実施するための形態】
【００１４】
以下、本発明の実施の形態を添付図面を参照して説明する。
【００１５】
図１は、本発明のインフュージョンパイプの斜視図である。また、図２は、本発明のインフュージョンパイプとカニューレの接合を説明する図であって、（ａ）は接合途中、（ｂ）は接合後を示している。インフュージョンパイプ１０を接合するカニューレ２０は、従来のカニューレと同様であって、金属性のカニューレパイプ２１を樹脂製のカニューレベース２２に嵌め込んだものである。また、カニューレパイプ２１において、カニューレベース２２に嵌め込まれた部分をカニューレ結合部２１ｂとし、眼球Ｅの内部に刺通した部分をカニューレ刺通部２１ａとする。
【００１６】
インフュージョンパイプ１０の基本の構成も従来と同様に、カニューレ刺通部２１ａの内側まで挿し込まれる挿入部１１と、カニューレ結合部２１ｂで押圧固定される結合部１２と、チューブ１５に接続する基部１３と、を有している。そして、結合部１２は、挿入部１１よりも径が大きく、挿入部１１と結合部１２とは、挿入部１１よりも長さが短い接続部１４で繋がっている。
【００１７】
本発明のインフュージョンパイプ１０と従来品のインフュージョンパイプとの違いは、本発明のインフュージョンパイプ１０は、挿入部１１の断面が閉じた円形ではなく、円形の一部を切り欠いた円弧形状になっていることである。また、挿入部１１の軸方向の長さが、従来品の挿入部よりも短くなっている。例えば、挿入部１１の長さが結合部１２の長さと同等程度か、結合部１２より短くてもよい。
【００１８】
眼球Ｅを刺通するカニューレ刺通部２１ａは径が大きくなく、また、カニューレ刺通部２１ａの内径とインフュージョンパイプ１０の挿入部１１の外径との間にほとんど隙間はないので、挿入部１１の断面が円弧形状で、かつ短ければ、従来品と比べて、かなり挿入作業が容易になる。
【００１９】
また、挿入部１１の断面が円弧形状であれば、開水路ということになるので、従来品の管路と比べて、灌水する水の流量は大きくなる。また、挿入部１１の長さが短ければ、流水にかかる水路の抵抗も小さくなり、さらに流量は増加することになる。
【００２０】
図３は、従来品と本発明のインフュージョンパイプの１分間の流量（ｇ）を比較するグラフである。従来品としては、インフュージョンパイプの断面を外径０．４３ｍｍの円形のものを用いた。一方、本発明は、インフュージョンパイプの挿入部断面を外径０．４３ｍｍの仮想円形断面から円弧高さ０．２９ｍｍを残した円弧形状のものを用いた。なお、切り欠いていない状態の円形断面を仮想円形断面とする。また、円弧高さとは、上側を開けて左右対称になるように円弧形状を置いたときに、円弧の下端から円弧の端までの垂直方向の高さとする。つまり、この流量比較に用いた本発明のインフュージョンパイプの挿入部は、仮想円形断面の約６７％（＝０．２９／０．４３＊１００）の円弧高さの断面ということになる。
【００２１】
図３の流量比較のグラフより、灌流圧が１０ｍｍＨｇ、３０ｍｍＨｇ、６０ｍｍＨｇのいずれの場合も、本発明のインフュージョンパイプを用いたときは、従来品よりも１０〜２０％程度流量が多くなっていることが分かる。したがって、本発明のように、インフュージョンパイプの断面を円弧形状にすれば、流量を増やすことができるという結果が得られた。
【００２２】
次に、インフュージョンパイプの挿入部断面の円弧高さの許容範囲を決定する。図４は、本発明のインフュージョンパイプの挿入部の断面図である。図４（ａ）は円弧高さが仮想円形断面の外径Ｄの０．９倍の高さ、図４（ｂ）は０．５倍の高さ（半円）、図４（ｃ）は０．３倍の高さをそれぞれ示している。
【００２３】
本発明のインフュージョンパイプ１０の挿入部１１の断面としては、図４（ａ）と図４（ｃ）を上限及び下限とした範囲内の円弧高さとする。これは、断面形状を見たときに、図４（ａ）（円弧高さ０．９Ｄ）よりも円弧高さを高くすると断面が円形とほとんど変わらなくなり、流量を増やす効果が期待できないからである。また、図４（ｃ）（円弧高さ０．３Ｄ）よりも円弧高さを低くすると断面がほぼ平らになってしまい、挿入部１１を設ける意味がなくなってしまうからである。
【００２４】
また、円弧高さを変えたときの流量について、試験を行って検討した。試験は、仮想円形断面の外径０．４３ｍｍに対して、円弧高さを０ｍｍ（０％）から０．４３ｍｍ（１００％）まで、約０．０４ｍｍ（約１０％）刻みで１１種類のインフュージョンパイプについて、流量の比較を行った。試験条件としては、圧力を６０ｍｍＨｇとし、１分間の流量（ｇ）を計測した。その結果、多少の誤差はあるものの、予想通り、円弧高さが高くなるほど、流量が減少する傾向が確認できた。そこで、それぞれの円弧高さにおける流量を円弧高さが０ｍｍ（０％）のものを基準とした割合で見たところ、円弧高さが０．４３ｍｍ（１００％）のときは、円弧高さが０ｍｍ（０％）のものの約８８％の流量であったのに対し、それ以外の円弧高さ場合は、円弧高さが０ｍｍ（０％）のものの９０％以上の流量を確保することができた。つまり、円弧高さを仮想円形断面の外径Ｄの９０％以下に設定すれば、従来のインフュージョンパイプよりも流量を増加させることができ、かつ、一定の流量を確保することができることが確認できた。なお、円弧高さを０ｍｍに近付けるほど流量は増加する傾向にあるのだが、前述した通り、図４（ｃ）（円弧高さ０．３Ｄ）よりも円弧高さを低くすると断面がほぼ平らになってしまい、挿入部１１を設ける意味がなくなってしまうので、ここでは、円弧高さの下限値を仮想円形断面の外径Ｄの３０％とすることにする。したがって、本発明の円弧高さの許容範囲として、仮想円形断面の外径の３０％以上、９０％以下とすることにする。
【００２５】
なお、流量のみに着目すれば、挿入部１１の円弧高さは低いほど流量が多くなるので、半円よりも小さい方が好ましいと考えられるが、カニューレに接合したときのインフュージョンパイプ１０の安定性等も併せて考慮すると、円弧高さは半円よりも大きい方が好ましい場合がある。
【００２６】
例えば、図４（ｃ）のように挿入部１１の円弧高さが半円よりも小さい場合は、カニューレ刺通部２１ａと挿入部１１との隙間が大きくなるので、カニューレと接合した状態でインフュージョンパイプ１０が不安定になることが懸念される。また、このような形状では挿入部１１の先端が尖った形状に近くなるので、カニューレパイプに挿入するときに、先端が引っ掛かったりすることも懸念される。
【００２７】
一方、図４（ａ）のように挿入部１１の円弧高さが半円よりも大きい場合は、カニューレ刺通部２１ａと挿入部１１との隙間が小さくなるので、カニューレと接合した状態でインフュージョンパイプ１０が安定し易い。
【００２８】
以上より、挿入部１１の円弧高さについては、流量を増やすことを第一に考えるならば、円弧高さをなるべく低くするのが好ましいが、接合時の作業性や安定性を考えると、ある程度円弧高さを確保した方がよい。したがって、総合的に判断すると、インフュージョンパイプ１０の断面を、切り欠いていない仮想円形断面の外径の３０％〜９０％の円弧高さにすれば、問題なく、流量を増やしつつ、容易にカニューレと接合できると考えられ、より接合時の安定性を確保したいのであれば、仮想円形断面の外径の５０％以上にするのがよい。
【符号の説明】
【００２９】
１０ インフュージョンパイプ
１１ 挿入部
１２ 結合部
１３ 基部
１４ 接続部
１５ チューブ
２０ カニューレ
２１ カニューレパイプ
２１ａ カニューレ刺通部
２１ｂ カニューレ結合部
２２ カニューレベース
Ｅ 眼球
【図１】
2019041863.tif 000003
【図２】
2019041863.tif 000004
【図３】
2019041863.tif 000005
【図４】
2019041863.tif 000006
【図５】
2019041863.tif 000007
【図６】
2019041863.tif 000008